(57)【要約】【課題】低電圧源を用いた場合でも出力ダイナミックレンジを広くすることができる増幅回路を提供すること。【解決手段】本発明では、入力信号に応じた電圧信号を生成する電圧信号生成回路と、同電圧信号生成部で生成した前記電圧信号に基づいてドライビング電流を生成するドライビング電流生成回路と、同ドライビング電流生成回路でのドライビング電流の生成に伴って出力信号を出力する出力電流生成回路とを有する増幅回路において、前記出力電流生成回路は、ドライビング電流生成時に電源から前記ドライビング電流生成回路へ向けて供給される供給電流又は前記ドライビング電流生成回路から電源に向けて放出される放出電流に応じて前記出力信号を生成するように構成することにした。【選択図】      図１
2004235685.tif 000002
【特許請求の範囲】
【請求項１】
入力信号に応じた電圧信号を生成する電圧信号生成回路と、同電圧信号生成回路で生成した前記電圧信号に基づいてドライビング電流を生成するドライビング電流生成回路と、同ドライビング電流生成回路でのドライビング電流に応じて出力信号を出力する出力電流生成回路とを有する増幅回路において、
前記出力電流生成回路は、ドライビング電流生成時に電源から前記ドライビング電流生成回路へ向けて供給される供給電流又は前記ドライビング電流生成回路から電源に向けて放出される放出電流に応じて前記出力信号を生成するように構成したことを特徴とする増幅回路。
【請求項２】
入力信号に応じた電圧信号を生成する電圧信号生成回路と、同電圧信号生成回路で生成した前記電圧信号に基づいてドライビング電流を生成するドライビング電流生成回路と、同ドライビング電流生成回路でのドライビング電流に応じて出力信号を出力する出力電流生成回路とを有する増幅回路において、
前記出力電流生成回路は、ドライビング電流生成時に電源から前記ドライビング電流生成回路へ向けて供給される供給電流に応じて前記出力信号を吐き出すとともに、前記ドライビング電流生成回路から電源に向けて放出される放出電流に応じて前記出力信号を吸い込むように構成したことを特徴とする増幅回路。
【請求項３】
前記ドライビング電流生成回路は、電圧信号生成回路に接続したトランジスタのエミッタ端子に前記ドライビング電流を通電する抵抗を接続する一方、前記トランジスタのコレクタ端子に出力電流生成回路を接続したことを特徴とする請求項１又は請求項２に記載の増幅回路。
【請求項４】
前記出力電流生成回路は、前記供給電流又は前記放出電流を増幅することによって前記出力信号を生成することを特徴とする請求項１〜請求項３のいずれかに記載の増幅回路。
【請求項５】
前記出力電流生成回路は、カレントミラー回路で形成したことを特徴とする請求項１〜請求項４のいずれかに記載の増幅回路。
【発明の詳細な説明】
【０００１】
【発明の属する技術分野】
本発明は、増幅回路に関するものである。
【０００２】
【従来の技術】
従来より、各種電子機器で使用される半導体装置は、信号出力部に増幅回路を形成して、半導体装置に接続したスピーカやモータなどの負荷を駆動するように構成している。
【０００３】
特に、大電流出力が可能な増幅回路としては、図２に示す構成の増幅回路１１が使用されている。
【０００４】
この増幅回路１１は、電圧信号生成部１２と電流出力部１３と帰還部１４とを有し、各部は次のように構成していた。
【０００５】
すなわち、電圧信号生成部１２は、入力端子１９に印加された入力信号Ｓ１１に応じた電圧信号Ｓ１２を生成する電圧信号生成回路で構成しており、具体的には、電源端子ＶＣＣに一対の抵抗Ｒ１１，Ｒ１２を並列接続するとともに、これらの抵抗Ｒ１１，Ｒ１２にカレントミラー接続した一対のＰＮＰ型のトランジスタＴ１１，Ｔ１２のエミッタ端子を接続し、これらのトランジスタＴ１１，Ｔ１２のコレクタ端子に差動対をなすＮＰＮ型のトランジスタＴ１３，Ｔ１４のコレクタ端子を接続し、これらのトランジスタＴ１３，Ｔ１４のエミッタ端子にグランド端子ＧＮＤを定電流源Ｉ１１を介して接続しており、トランジスタＴ１３のベース端子に入力端子１９を接続する一方、トランジスタＴ１４のベース端子に出力端子２０を帰還部１４を介して接続するとともに、トランジスタＴ１４のコレクタ端子に電流出力部１３を接続している。
【０００６】
電流出力部１３では、電圧信号生成部１２で生成した電圧信号Ｓ１２を電流信号である出力信号Ｓ１４，Ｓ１６に変換して出力しており、出力端子２０から出力信号Ｓ１６を吐き出すプッシュ側電流出力部と出力端子２０から出力信号Ｓ１４を吸い込むプル側電流出力部とから構成している。
【０００７】
そして、これらのプッシュ側電流出力部及びプル側電流出力部は、電圧信号生成部１２で生成した電圧信号Ｓ１２に基づいてドライビング電流Ｓ１３，Ｓ１５を生成するドライビング電流生成回路１５，１６と、ドライビング電流Ｓ１３，Ｓ１５に応じて出力信号Ｓ１４，Ｓ１６を生成する出力信号生成回路１７，１８とから構成している。
【０００８】
具体的には、プッシュ側電流出力部は、電圧信号生成部１２のトランジスタＴ１４のコレクタ端子にＰＮＰ型のトランジスタＴ１７のベース端子を接続し、同トランジスタＴ１７のエミッタ端子に電源端子ＶＣＣを抵抗Ｒ１４を介して接続するとともに、トランジスタＴ１７のコレクタ端子にグランド端子ＧＮＤを接続することによってプッシュ側のドライビング電流生成回路１６を形成し、さらには、トランジスタＴ１７のエミッタ端子にＮＰＮ型のトランジスタＴ１８のベース端子を接続し、同トランジスタＴ１８のコレクタ端子に電源端子ＶＣＣを接続するとともに、トランジスタＴ１８のエミッタ端子に出力端子２０を接続することによってプッシュ側の出力信号生成回路１８を形成している。
【０００９】
一方、プル側電流出力部は、電圧信号生成部１２のトランジスタＴ１４のコレクタ端子にＮＰＮ型のトランジスタＴ１５のベース端子を接続し、同トランジスタＴ１５のエミッタ端子にグランド端子ＧＮＤを抵抗Ｒ１３を介して接続するとともに、トランジスタＴ１５のコレクタ端子に電源端子ＶＣＣを接続することによってプル側のドライビング電流生成回路１５を形成し、さらには、トランジスタＴ１５のエミッタ端子にＰＮＰ型のトランジスタＴ１６のベース端子を接続し、同トランジスタＴ１６のコレクタ端子にグランド端子ＧＮＤを接続するとともに、トランジスタＴ１６のエミッタ端子に出力端子２０を接続することによってプル側の出力信号生成回路１７を形成している。
【００１０】
帰還部１４は、電流出力部１３から出力される出力信号Ｓ１４，Ｓ１６の一部の帰還信号Ｓ１７を電圧信号生成部１２に帰還しており、具体的には、電流出力部１３の出力端子２０に電圧信号生成部１２のトランジスタＴ１４のベース端子を直接接続している。
【００１１】
このように、従来の増幅回路１１は、入力信号Ｓ１１に応じた電圧信号Ｓ１２を生成する電圧信号生成部１２と、同電圧信号生成部１２で生成した電圧信号Ｓ１２を電流信号である出力信号Ｓ１４，Ｓ１６に変換して出力する電流出力部１３と、同電流出力部１３から出力される出力信号Ｓ１４，Ｓ１６の一部を電圧信号生成部１２に帰還する帰還部１４とからなり、電流出力部１３は、電圧信号生成部１２で生成した電圧信号Ｓ１２に基づいてドライビング電流Ｓ１３，Ｓ１５を生成するドライビング電流生成回路１５，１６と、ドライビング電流Ｓ１３，Ｓ１５に応じて出力信号Ｓ１４，Ｓ１６を生成する出力信号生成回路１７，１８とから構成していた。
【００１２】
そして、従来の増幅回路１１では、ドライビング電流生成回路１５，１６で生成したドライビング電流Ｓ１３，Ｓ１５をそのまま利用することによって、ドライビング電流Ｓ１３，Ｓ１５に応じた出力信号Ｓ１４，Ｓ１６を生成していた。
【００１３】
すなわち、増幅回路１１は、プッシュ側では、電圧信号生成部１２から出力される電圧信号Ｓ１２の振幅に応じてプッシュ側のドライビング電流生成回路１６のトランジスタＴ１７が駆動し、電圧信号Ｓ１２の振幅と同一振幅のドライビング電流Ｓ１５が抵抗Ｒ１４に通電し、それに伴ってトランジスタＴ１８のベース端子に通電されるベース電流が増減するとともに、トランジスタＴ１８のエミッタ端子から出力端子２０に出力信号Ｓ１６が電圧信号Ｓ１２の振幅と同一振幅で吐き出される。
【００１４】
一方、プル側では、電圧信号生成部１２から出力される電圧信号Ｓ１２の振幅に応じてプル側のドライビング電流生成回路１５のトランジスタＴ１５が駆動し、電圧信号Ｓ１２の振幅と同一振幅のドライビング電流Ｓ１３が抵抗Ｒ１３に通電し、それに伴ってトランジスタＴ１６のベース端子に通電されるベース電流が増減するとともに、出力端子２０からトランジスタＴ１６のエミッタ端子に出力信号Ｓ１４が電圧信号Ｓ１２の振幅と同一振幅で吸い込まれる。
【００１５】
このように、従来の増幅回路１１では、ドライビング電流生成回路１５，１６で生成したドライビング電流Ｓ１３，Ｓ１５をそのまま利用することによって、ドライビング電流Ｓ１３，Ｓ１５に応じた出力信号Ｓ１４，Ｓ１６を生成しているため、出力信号Ｓ１４，Ｓ１６の振幅と電圧信号生成部１２から出力される電圧信号Ｓ１２の振幅とが同一振幅となっていた。
【００１６】
【発明が解決しようとする課題】
ところが、近年における電子機器の低消費電力化に伴って、電子機器で使用できる電源電圧がより一層低くなってきているために、上記従来の増幅回路１１では、電圧信号生成部１２から出力される電圧信号Ｓ１２の振幅を小さく抑えなければならなくなり、それに伴って、電圧信号Ｓ１２の振幅と同一振幅で出力される出力信号Ｓ１４，Ｓ１６の振幅も小さく抑えられていた。
【００１７】
そのため、上記従来の増幅回路１１では、出力信号Ｓ１４，Ｓ１６の出力ダイナミックレンジ（電流範囲）が狭すぎて、大電流を必要とする負荷を良好に駆動することが困難であった。
【００１８】
【課題を解決するための手段】
そこで、請求項１に係る本発明では、入力信号に応じた電圧信号を生成する電圧信号生成回路と、同電圧信号生成部で生成した前記電圧信号に基づいてドライビング電流を生成するドライビング電流生成回路と、同ドライビング電流生成回路でのドライビング電流の生成に伴って出力信号を出力する出力電流生成回路とを有する増幅回路において、出力電流生成回路は、ドライビング電流生成時に電源から前記ドライビング電流生成回路へ向けて供給される供給電流又は前記ドライビング電流生成回路から電源に向けて放出される放出電流に応じて前記出力信号を生成するように構成することにした。
【００１９】
また、請求項２に係る本発明では、入力信号に応じた電圧信号を生成する電圧信号生成回路と、同電圧信号生成回路で生成した前記電圧信号に基づいてドライビング電流を生成するドライビング電流生成回路と、同ドライビング電流生成回路でのドライビング電流に応じて出力信号を出力する出力電流生成回路とを有する増幅回路において、前記出力電流生成回路は、ドライビング電流生成時に電源から前記ドライビング電流生成回路へ向けて供給される供給電流に応じて前記出力信号を吐き出すとともに、前記ドライビング電流生成回路から電源に向けて放出される放出電流に応じて前記出力信号を吸い込むように構成することにした。
【００２０】
また、請求項３に係る本発明では、前記請求項１に係る本発明において、ドライビング電流生成回路は、電圧信号生成回路に接続したトランジスタのエミッタ端子にドライビング電流を通電する抵抗を接続する一方、前記トランジスタのコレクタ端子に出力電流生成回路を接続することにした。
【００２１】
また、請求項４に係る本発明では、前記請求項１又は請求項２に係る本発明において、出力電流生成回路は、前記供給電流又は前記放出電流を増幅することによって出力信号を生成することにした。
【００２２】
また、請求項５に係る本発明では、前記請求項１〜請求項３に係る本発明において、出力電流生成回路は、カレントミラー回路で形成することにした。
【００２３】
【発明の実施の形態】
以下に、本発明の実施の形態について図面に基づいて具体的に説明する。
【００２４】
本発明に係る増幅回路１は、図１に示すように、電圧信号生成部２と電流出力部３と帰還部４とからなり、各部は次のように構成している。
【００２５】
すなわち、電圧信号生成部２は、入力端子９に印加された入力信号Ｓ１に応じた電圧信号Ｓ２を生成する電圧信号生成回路で構成している。
【００２６】
具体的には、電圧信号生成部２は、電源端子ＶＣＣに一対の抵抗Ｒ１，Ｒ２を並列接続するとともに、これらの抵抗Ｒ１，Ｒ２にカレントミラー接続した一対のＰＮＰ型のトランジスタＴ１，Ｔ２のエミッタ端子を接続し、これらのトランジスタＴ１，Ｔ２のコレクタ端子に差動対をなすＮＰＮ型のトランジスタＴ３，Ｔ４のコレクタ端子を接続し、これらのトランジスタＴ３，Ｔ４のエミッタ端子にグランド端子ＧＮＤを定電流源Ｉ１を介して接続しており、トランジスタＴ３のベース端子に入力端子９を接続する一方、トランジスタＴ４のベース端子に出力端子１０を帰還部４を介して接続するとともに、トランジスタＴ４のコレクタ端子に電流出力部３を接続している。なお、トランジスタＴ１は、ベース端子にトランジスタＴ２のベース端子を直接接続するとともに、ベース端子とコレクタ端子とを短絡している。
【００２７】
電流出力部３では、電圧信号生成部２で生成した電圧信号Ｓ２を電流信号である出力信号Ｓ５，Ｓ８に変換して出力しており、出力端子１０から出力信号Ｓ５を吐き出すプッシュ側電流出力部と出力端子１０から出力信号Ｓ８を吸い込むプル側電流出力部とから構成している。
【００２８】
そして、これらのプッシュ側電流出力部及びプル側電流出力部は、電圧信号生成部２で生成した電圧信号Ｓ２に基づいてドライビング電流Ｓ３，Ｓ６を生成するドライビング電流生成回路５，６と、ドライビング電流Ｓ３，Ｓ６の生成に伴って出力信号Ｓ５，Ｓ８を生成する出力電流生成回路７，８とから構成している。
【００２９】
具体的には、プッシュ側電流出力部は、電圧信号生成部２のトランジスタＴ４のコレクタ端子にＮＰＮ型のトランジスタＴ５のベース端子を接続し、同トランジスタＴ５のコレクタ端子に電源端子ＶＣＣを後述する出力電流生成回路７のトランジスタＴ６を介して接続するとともに、トランジスタＴ５のエミッタ端子にグランド端子ＧＮＤを抵抗Ｒ３を介して接続することによってプッシュ側のドライビング電流生成回路５を形成している。
【００３０】
また、プッシュ側電流出力部は、電源端子ＶＣＣにカレントミラー接続した一対のＰＮＰ型のトランジスタＴ６，Ｔ７のエミッタ端子を並列接続し、トランジスタＴ６のコレクタ端子にドライビング電流生成回路５のトランジスタＴ５のコレクタ端子を接続する一方、トランジスタＴ７のコレクタ端子に出力端子１０を接続することによってプッシュ側の出力電流生成回路７を形成している。なお、トランジスタＴ６は、ベース端子にトランジスタＴ７のベース端子を直接接続するとともに、ベース端子とコレクタ端子とを短絡している。
【００３１】
一方、プル側電流出力部は、電圧信号生成部２のトランジスタＴ４のコレクタ端子にＰＮＰ型のトランジスタＴ８のベース端子を接続し、同トランジスタＴ８のコレクタ端子にグランド端子ＧＮＤを後述する出力信号生成回路８のトランジスタＴ９を介して接続するとともに、トランジスタＴ８のエミッタ端子に電源端子ＶＣＣを抵抗Ｒ４を介して接続することによってプル側のドライビング電流生成回路６を形成している。
【００３２】
また、プル側電流出力部は、グランド端子ＧＮＤにカレントミラー接続した一対のＮＰＮ型のトランジスタＴ９，Ｔ１０のエミッタ端子を並列接続し、トランジスタＴ９のコレクタ端子にドライビング電流生成回路６のトランジスタＴ８のコレクタ端子を接続する一方、トランジスタＴ１０のコレクタ端子に出力端子１０を接続することによってプル側の出力信号生成回路８を形成している。なお、トランジスタＴ９は、ベース端子にトランジスタＴ１０のベース端子を直接接続するとともに、ベース端子とコレクタ端子とを短絡している。
【００３３】
帰還部４は、電流出力部３から出力される出力信号Ｓ５，Ｓ８の一部の帰還信号Ｓ９を電圧信号生成部２に帰還しており、具体的には、電流出力部３の出力端子１０に電圧信号生成部２のトランジスタＴ４のベース端子を直接接続している。
【００３４】
そして、増幅回路１は、ドライビング電流生成回路５，６においてドライビング電流Ｓ３，Ｓ６を生成する時に電源（電源端子ＶＣＣ）からドライビング電流生成回路５に向けて供給される供給電流Ｓ４又はドライビング電流生成回路６から電源（グランド端子ＧＮＤ）に向けて放出される放出電流Ｓ７に応じて出力信号Ｓ５，Ｓ８を生成するよう出力信号生成回路８を構成している。
【００３５】
すなわち、増幅回路１は、電圧信号生成部２で生成された電圧信号Ｓ２に応じてプッシュ側のドライビング電流生成回路５でドライビング電流Ｓ３が生成されると、電源端子ＶＣＣからトランジスタＴ５のコレクタ端子に向けて供給電流Ｓ４が供給され、プッシュ側の出力電流生成回路７では、供給電流Ｓ４をカレントミラー回路でｎ倍した出力信号Ｓ５をトランジスタＴ７のコレクタ端子から出力端子１０に吐き出すようにしている。
【００３６】
一方、増幅回路１は、電圧信号生成部２で生成された電圧信号Ｓ２に応じてプル側のドライビング電流生成回路６でドライビング電流Ｓ６が生成されると、トランジスタＴ８のコレクタ端子からグランド端子ＧＮＤに向けて放出電流Ｓ７が放出され、プル側の出力信号生成回路８では、放出電流Ｓ７をカレントミラー回路でｎ倍した出力信号Ｓ８を出力端子１０からトランジスタＴ１０のコレクタ端子に吸い込むようにしている。
【００３７】
このように、増幅回路１では、ドライビング電流生成回路５，６においてドライビング電流Ｓ３，Ｓ６を生成する時に電源（電源端子ＶＣＣ）からドライビング電流生成回路５に向けて供給される供給電流Ｓ４又はドライビング電流生成回路６から電源（グランド端子ＧＮＤ）に向けて放出される放出電流Ｓ７に応じて出力信号Ｓ５，Ｓ８を生成するようにしているため、電圧信号生成部２から出力される電圧信号Ｓ２の振幅よりも電流出力部３から出力される出力信号Ｓ５，Ｓ８の振幅を大きくすることができるので、電子機器の低消費電力化に伴って電子機器で使用できる電源電圧がより一層低くなっても、出力信号Ｓ５，Ｓ８の出力ダイナミックレンジ（電流範囲）を広くすることができる。
【００３８】
すなわち、増幅回路１では、トランジスタＴ７，Ｔ１０のエミッタ・コレクタ間電圧をＶ（Ｔ７），Ｖ（Ｔ１０）とすると、出力信号Ｓ５，Ｓ８の出力ダイナミックレンジがＶｃｃ−Ｖ（Ｔ７）  〜  Ｖ（Ｔ１０）と表せ、電圧信号Ｓ２のダイナミックレンジに依存することなく、広いダイナミックレンジとなる。
【００３９】
特に、本実施の形態に示したように、ドライビング電流生成回路５，６において電圧信号生成部２に接続したトランジスタＴ５，Ｔ８のエミッタ端子にドライビング電流Ｓ３，Ｓ６を通電する抵抗Ｒ３，Ｒ４を接続する一方、トランジスタＴ５，Ｔ８のコレクタ端子に出力電流生成回路７，８を接続した場合には、電流出力部３の回路構成を簡略化することができ、回路規模の小型化を図ることができる。
【００４０】
また、増幅回路１では、出力信号Ｓ５を最も多く流す場合におけるトランジスタＴ５のコレクタ端子に流れ込む電流とトランジスタＴ５のエミッタ端子から流れ出る電流との大小関係から、
（Ｖｃ−Ｖｉｎ−Ｖｆ（Ｔ５））／Ｒ３≧Ｓ５／ｎ＋Ｓ５／ＨＦＥ（Ｔ７）・・・式（１）
と表せる。ここで、Ｖｃは電源の中心電圧、Ｖｉｎは入力信号Ｓ１の振幅、Ｖｆ（Ｔ５）はトランジスタＴ５のベース・エミッタ間電圧、ＨＦＥ（Ｔ７）はトランジスタＴ７の電流増幅率である。
【００４１】
一方、増幅回路１では、出力信号Ｓ８を最も多く流す場合におけるトランジスタＴ８のエミッタ端子に流れ込む電流とトランジスタＴ８のコレクタ端子から流れ出る電流との大小関係から、
（Ｖｃｃ−Ｖｃ−Ｖｉｎ−Ｖｆ（Ｔ８））／Ｒ４≧Ｓ８／ｎ＋Ｓ８／ＨＦＥ（Ｔ１０）・・・式（２）
と表せる。ここで、Ｖｃｃは電源電圧、Ｖｆ（Ｔ８）はトランジスタＴ８のベース・エミッタ間電圧、ＨＦＥ（Ｔ１０）はトランジスタＴ１０の電流増幅率である。
【００４２】
したがって、式（１）、式（２）から、
Ｒ３≦ｎ・ＨＦＥ（Ｔ７）・（Ｖｃ−Ｖｉｎ−Ｖｆ（Ｔ５））／（Ｓ５・（ｎ＋ＨＦＥ（Ｔ７））・・・式（３）
と表せ、また、
Ｒ４≦ｎ・ＨＦＥ（Ｔ１０）・（Ｖｃｃ−Ｖｃ−Ｖｉｎ−Ｖｆ（Ｔ８））／（Ｓ８・（ｎ＋ＨＦＥ（Ｔ１０））・・・式（４）
と表せる。
【００４３】
これらの式（３）及び式（４）から、抵抗Ｒ３，Ｒ４の抵抗値は、出力電流生成回路７，８のカレントミラー回路で電流を増幅する倍数ｎに依存していることがわかり、倍数ｎを変更することによって抵抗Ｒ３，Ｒ４の抵抗値を変更することができるので、抵抗Ｒ３，Ｒ４の抵抗値を設定する際の自由度が高くなっている。
【００４４】
また、増幅回路１では、出力信号Ｓ５を最も少なく流す場合におけるドライビング電流Ｓ３は、
Ｓ３＝（Ｖｃ−Ｖｉｎ−Ｖｆ（Ｔ５））／Ｒ３・・・式（５）
と表せる。
【００４５】
一方、増幅回路１では、出力信号Ｓ８を最も少なく流す場合におけるドライビング電流Ｓ６は、
Ｓ６＝（Ｖｃｃ−Ｖｃ−Ｖｉｎ−Ｖｆ（Ｔ８））／Ｒ４・・・式（６）
と表せる。
【００４６】
これら式（５）及び式（６）で表されるドライビング電流Ｓ３，Ｓ６は、そのままグランド端子ＧＮＤに放出又は電源端子ＶＣＣから供給されるだけで捨て電流となる。
【００４７】
しかしながら、上記式（３）や式（４）で表されるように、抵抗Ｒ３，Ｒ４の抵抗値が出力電流生成回路７，８のカレントミラー回路で電流を増幅する倍数ｎに依存していることから、倍数ｎを変更することによって抵抗Ｒ３，Ｒ４の抵抗値を変更することができるので、それによって、式（５）や式（６）で表される捨て電流となるドライビング電流Ｓ３，Ｓ６の電流値を小さくすることができる。
【００４８】
また、増幅回路１では、電圧信号Ｓ２の振幅をΔＶとすると、
ΔＶ＝ΔＳ３・Ｒ３≧ΔＳ５（１／ｎ＋１／ＨＦＥ（Ｔ７））・Ｒ３・・・式（７）
又は、
ΔＶ＝ΔＳ６・Ｒ４≧ΔＳ８（１／ｎ＋１／ＨＦＥ（Ｔ１０））・Ｒ４・・・式（８）
と表せる。
【００４９】
したがって、これら式（７）及び式（８）から、電圧信号Ｓ２の振幅ΔＶが出力信号Ｓ５，Ｓ８に応じて変化するドライビング電流Ｓ３，Ｓ６と抵抗Ｒ３，Ｒ４に依存することがわかり、上述したように、抵抗Ｒ３，Ｒ４の抵抗値が出力電流生成回路７，８のカレントミラー回路で電流を増幅する倍数ｎに依存していることから、倍数ｎを変更して抵抗Ｒ３，Ｒ４の抵抗値を変更することによって電圧信号Ｓ２の振幅ΔＶを決定することができる。
【００５０】
このように、本実施の形態では、出力電流生成回路７，８において供給電流Ｓ４又は放出電流Ｓ７をｎ倍に増幅することによって出力信号Ｓ５，Ｓ８を生成しているため、倍数ｎを変更することによって、抵抗Ｒ３，Ｒ４の抵抗値を変更することができるとともに、捨て電流を少なくすることができ、また、電圧信号Ｓ２の振幅ΔＶを変更することができるので、回路設計の自由度を向上させることができる。
【００５１】
特に、出力電流生成回路７，８をカレントミラー回路で形成した場合には、電流出力部３の回路構成を簡略化することができ、回路規模の小型化を図ることができる。
【００５２】
【発明の効果】
本発明は、以上に説明したような形態で実施され、以下に記載されるような効果を奏する。
【００５３】
すなわち、請求項１に係る本発明では、入力信号に応じた電圧信号を生成する電圧信号生成回路と、同電圧信号生成部で生成した前記電圧信号に基づいてドライビング電流を生成するドライビング電流生成回路と、同ドライビング電流生成回路でのドライビング電流の生成に伴って出力信号を出力する出力電流生成回路とを有する増幅回路において、ドライビング電流生成時に電源からドライビング電流生成回路へ向けて供給される供給電流又はドライビング電流生成回路から電源に向けて放出される放出電流に応じて出力信号を生成するように出力電流生成回路を構成しているため、電圧信号生成部から出力される電圧信号の振幅よりも電流出力部から出力される出力信号の振幅を大きくすることができるので、電子機器の低消費電力化に伴って電子機器で使用できる電源電圧がより一層低くなっても、出力信号の出力ダイナミックレンジ（電流範囲）を広くすることができる。
【００５４】
また、請求項２に係る本発明では、ドライビング電流生成時に電源から前記ドライビング電流生成回路へ向けて供給される供給電流に応じて前記出力信号を吐き出すとともに、前記ドライビング電流生成回路から電源に向けて放出される放出電流に応じて前記出力信号を吸い込むようにしているため、プッシュプル型の増幅回路となり、出力信号の出力ダイナミックレンジをより一層広くすることができる。
【００５５】
また、請求項３に係る本発明では、電圧信号生成回路に接続したトランジスタのエミッタ端子にドライビング電流を通電する抵抗を接続する一方、前記トランジスタのコレクタ端子に出力電流生成回路を接続しているため、電流出力部の回路構成を簡略化することができ、回路規模の小型化を図ることができる。
【００５６】
また、請求項４に係る本発明では、供給電流又は放出電流を増幅することによって出力信号を生成しているため、増幅する倍数を変更することによって電圧信号の振幅などを変更することができ、回路設計の自由度を向上させることができる。
【００５７】
また、請求項５に係る本発明では、出力電流生成回路をカレントミラー回路で形成しているため、電流出力部の回路構成を簡略化することができ、回路規模の小型化を図ることができる。
【図面の簡単な説明】
【図１】本発明に係る増幅回路を示す回路図。
【図２】従来の増幅回路を示す回路図。
【符号の説明】
１  増幅回路
２  電圧信号生成部
３  電流出力部
４  帰還部
５，６  ドライビング電流生成回路
７，８  出力電流生成回路
Ｓ１  入力信号
Ｓ２  電圧信号
Ｓ３，Ｓ６  ドライビング電流
Ｓ４  供給電流
Ｓ５，Ｓ８  出力信号
Ｓ７  放出電流
Ｓ９  帰還信号
【図１】
2004235685.tif 000003
【図２】
2004235685.tif 000004